(57)【要約】【課題】  多機能型携帯電話であるスマートフォンが急速に普及してきている。同、普及と共にアプリケーションの多様性が大きくなり、使い方の多様性が求められるようになってきた。持ち歩きの利便性、手に持つ時の利便性、置いて使う時の利便性。置いて使う場合には縦方向に置く場合と横方向に置く場合との両方向が求められる。【解決手段】  上記課題を解決すべく、スマートフォンの裏面に取り付ける面状ファスナー（１）と該面状ファスナーに取り付ける形状保持プラスチックの板（２）と該板の片面に取り付ける面状ファスナー（３）を設ける事で持ち運びの場合には薄い状態でスマートフォンに貼り付けられるようにし、手に持って操作する時は面ファスナーの位置方向をはずして撓ませ指が入れられるようにし、置く場合には横に有ってはそのまま指を抜いて角度をつけて見られるようにし、縦置きの場合には下側部分の両面ファスナーを外して、角度をつけて立て掛けの、支柱板のような機構とする。【選択図】図１
2015171137.tif 000002
【特許請求の範囲】
【請求項１】
スマートフォンの裏面に取り付ける面状ファスナー（１）と該面状ファスナーに取り付ける形状保持プラスチックの板（２）と該板の片面に取り付ける面状ファスナー（３）を設ける、以上のように構成されるスマートフォン用補助具。
【請求項２】
形状保持プラスチックの板（２）の一端の部分から先の部分で複数枚で構成される事を特徴とする請求項１に記載のスマートフォン用補助具。
【請求項３】
形状保持プラスチックの枝の部分の内の一枚が他の部分よりも柔軟特性を持つ事を特徴とする請求項２に記載のスマートフォン用補助具。
【請求項４】
スマートフォンの裏面に取り付ける面状ファスナー（１）と吸盤（５）の外面部分に取り付ける面ファスナー（４）と吸盤の内側に樹脂系エラストマー（６）を設ける事で構成されるスマートフォン用補助具。
【発明の詳細な説明】
【技術分野】
【０００１】  本発明はスマートフォン用補助具に関する。
【背景技術】
【０００２】  多機能型携帯電話であるスマートフォンが急速に普及してきている。昨今では、使い勝手向上のために大画面化の傾向がある。しかし、スマートフォンでの入力出力では手に取り付けることと、立て掛けて画面を見ることが不便になって来ている。使い勝手上、置いて見る、と言う機能も必要になって来ている。
【特許文献１】特許公開２００７−２１５１４６号公報。
【特許文献２】特許公開２０１３−１７２２９８号公報。
【発明の開示】
【発明が解決しようとする課題】
【０００３】  多機能型携帯電話であるスマートフォンが急速に普及してきている。同、普及と共にアプリケーションの多様性が大きくなり、使い方の多様性が求められるようになってきた。持ち歩きの利便性、手に持つ時の利便性、置いて使う時の利便性。置いて使う場合には縦方向に置く場合と横方向に置く場合との両方向が求められる。
【課題を解決するための手段】
【０００４】  上記課題を解決すべく、スマートフォンの裏面に取り付ける面状ファスナー（１）と該面状ファスナーに取り付ける形状保持プラスチックの板（２）と該板の片面に取り付ける面状ファスナー（３）を設ける事で持ち運びの場合には薄い状態でスマートフォンに貼り付けられるようにし、手に持って操作する時は面ファスナーの位置方向をはずして撓ませ指が入れられるようにし、置く場合には横に有ってはそのまま指を抜いて角度をつけて見られるようにし、縦置きの場合には下側部分の両面ファスナーを外して、角度をつけて立て掛けの、支柱板のような機構とする。
【発明の効果】
【０００５】  上記の事から持ち歩きの時には邪魔にならず、使うときには所定の形状に曲げておくことが出来るので、スマートフォンの機能を有効に使うための機能を発揮出来る。【０００６】  形状保持プラスチックについては従来にはなかった新素材による機能があって、強い力で曲げたらその形状が保持される、弱い力では変形しない樹脂である。単なる金属板にもその性能は有るが、金属板の場合には曲がりに対応するような板では薄過ぎて危険性をはらむ事と金属を曲げた場合にはその部分で硬化が出来てしまって戻す時には不具合が生じる、言い換えるとまっすぐにして仕舞う事が難しくなる。金属に有っては銅、鉄、アルミ、鉛等と前記の合金素材が考えられるが曲げによる硬化は避ける事は出来ないので形状保持プラスチックが有効に機能する。【０００７】  この他、通常の軟質樹脂板や布製板では撓ます事は出来ても形状を決めて立て掛け、スマートフォンの角度を決める事は出来ないので形状保持プラスチックが重要となる。角度の設定にこだわる理由は、覗き込み防止のフィルム等を設けている場合が多く、スマートフォンの直角面の近くの位置に目の位置がないと見えづらい事があるので所定の角度に設定出来る機能は重要な技術である。使い方の事例で説明すると、机の前の位置にスマートフォンを置いて事務等をするときには見る角度が鋭角になるために立ち上がるなり伸び上がるなりをして目を真上近くに持っていかないと覗き防止機能が働いて見え辛くなる然るに角度をつけて設置出来る事は必要になる。仮に裏の位置に何かを置いて角度をつけても下の部分が滑って落ちてしまうので角度をつけて設置できる事は発明の効果は大きい。本発明の形状では当然ポケットにしまったり壁に掛けたりする場合のフック又はクリップと言われる引っかけ用のフックが構成されていると言う効果もある。【０００８】  取り付けの部材に面状ファスナーに特化したのは全体の部品の合計厚さを薄くする事で使いやすさ、持ち運びの時の簡便性を追求して嵩張らないようにしている効果がある。当然、面ファスナーそのものの着脱の簡易性と取り付け位置の角度を含む任意性を利用して簡便性を増した効果がある。
【図面の簡単な説明】
【０００９】
【図１】  本発明の構成部材図である（ａ）は断面図、（ｂ）は平面図。
【図２】  本発明の縦置き方向の使用例の側面図である。
【図３】  本発明の横置き方向の使用例の側面図である。（ｃ）は短手方向（ｄ）は長手方向。
【図４】  本発明の手に持っての使用の状態を示す図面である。（ｅ）は平面図、（ｆ）は長手側面図である。
【図５】  本発明の手に持っての使用の状態を示す図面である。（ｅ）は平面図、（ｆ）は長手側面図である。
【図６】  本発明の割り込み配列時の平面図である。（ｊ）は抜き（ｋ）はその他カット
【図７】  本発明の構成部材を示す断面図である。
【図８】  本発明の取り付けの状態を示す断面図である。
【図９】  本発明の取り付けの状態を示す斜視図である。
【発明を実施するための形態１】
【００１０】  本発明を図と共に説明すると請求項１では、スマートフォンの裏面に取り付ける面状ファスナー（１）と該面状ファスナーに取り付ける形状保持プラスチックの板（２）と該板の両端の片面に取り付ける面状ファスナー（３）を設ける構成である。図１では全体の構成を示す図面であって、通常の持ち歩きの場合を表現している。面ファスナー（３）は板の片面全部でもよいが両端の１０ｍｍ程度に設ける事でもよい。大きさはスマートフォンに取り付ける内側の寸法程度が推奨される。幅はスマートフォンの幅の半分程度が推奨される。スマートフォン本体に取り付ける場合とカバーに取り付ける場合の両方できる。図２では縦方向に角度を付けて設置する場合の一事例を示す。但しこの曲げ方に限った物ではなく好みの状態で設定が可能である。図３では横方向に角度をつけて設置する場合の一事例を示す。但しこの曲げ方に限った物ではなく好みの状態で設定が可能である。図４では手に持って操作する場合の一事例を示す。但しこの曲げ方や使い方に限った物ではなく好みの状態で設定が可能である。ここで重要なのは通常握った状態と言いますか落ちないように持つ事が求められてはいたが感覚として持つ意識が無くなっても指に掛っているので落ちない所に特筆すべきものがある。図４の（ｅ）では盛り上がりを表現する為に陰影法による表現を用いている。面ファスナーについてはフックとループがあるが最近は両方混在したものもあるので特に使い分けをしていない。原則としてはスマートフォン側がフック、板側がループとする、当然逆でもよいがループは耐久性で若干の弱みがあるので前記がよい。面状ファスナーの取り付けにおいては拘るものではなく、粘着剤による場合や接着剤による取り付けでもよい。形状保持プラスチックは市販品であって商品名フォルテとの名称でもあり積水成型工業株式会社製がある。
【発明を実施するための形態２】
【００１１】    請求項２では請求項１の内で形状保持プラスチックの板（２）に縦方向に切り込みを入れて先の部分で複数枚で構成する。前段落の説明は引き継ぐ。使用状態の多様性に伴う為に縦方向に立て掛ける場合には曲がりに対する抗力が大きくする必要があり、指を入れで使う場合には曲げ性能が良くなる方が使いやすい。両方の性能を一枚の板から求めるならば縦方向に切り込みを入れて曲げ性能を重視する場合には複数枚の内の一枚の部分を使って曲げるのが良く、抗力を使う場合には複数枚を使って抗力に使う方が良いので切り込みを入れて複数枚を使えるようにした。図５では手に持って操作する場合の一事例を示す。図５の（ｇ）では盛り上がりを表現する為に陰影法による表現を用いている。図６では切り込みを入れる場合にプレス打ち抜きをする場合の隙間を確保した時の平面図である。（ｊ）はプレス打ち抜きの場合、（ｋ）はその他のカットの場合を示す。
【発明を実施するための形態３】
【００１２】  請求項３では形状保持プラスチックの枝の部分の内の一枚が他の部分よりも柔軟特性を持つようにした。実際に指を通す部位の板は柔らかい方が曲げ伸ばしが素早く出来るので使い勝手が良くなる。柔らかくする方法は板の部分を先に曲げ伸ばしを繰り返すと自然に柔らかくなる。加工方法としてはゴム等の弾性体の上に置いて上からハンマーやバイブレーターで振動を掛ける方式と３点ローラーで回転または引き抜き圧し入れ方式で曲げ伸ばしが連続的に行う事が出来る。素材を他の素材ではなくて同一素材で加工するのが施工上の簡易性がる。
【発明を実施するための形態４】
【００１３】  請求項４では、スマートフォンの裏面に取り付ける面状ファスナー（１）と吸盤（５）の外面部分に取り付ける面ファスナー（４）と吸盤の内側に樹脂系エラストマー（６）を設ける事で構成される。車のダッシュボードの壁面にスマートフォンを取り付ける器具である。ダッシュボードは表面が凹凸があり、尚且つ面が大きなうねりが有るので吸盤で取り付けるのが難しく粘着剤等との組み合わせで使う場合もあったが外す時にはコビリ着いて取れなくなるので、吸盤に粘着性のエラストマー樹脂と組み合わせて取り付ける事で前記機能を発揮させる。うねりに対しては２重形吸盤よりも、通常の押し付け吸盤の方が対応性が大きい。吸盤の外面に面状ファスナーを設けてスマートフォンが簡易的に着脱を出来るようになっている。本発明は請求項１に記載のスマートフォンに面状テープを取り付けられている条件を引き継ぎ車用の利用用途を拡大するものである。使用の状態としては吸盤のセットを上下に設けると吸盤本体に掛るモーメントを無くすることが出来て保持能力が大幅に向上する。粘性エラストマーの使用では粘着力で物を支えることは当然期待が出来るが、負圧部分に空気が入り込むのを防ぐ機能が重要となる。言い換えれば粘性により空気の通り道を塞いでいる構造となるので有効に機能する。
【発明を実施するための形態４】
【符号の説明】
【００１４】１面状ファスナー。
２面状ファスナー。
３形状保持プラスチック板。
４面状ファスナー。
５吸盤。
６粘性エラストマー。
１０スマートフォン
１１人差し指
１２中指
１３薬指
１４小指
１５親指
１６隙間
１７ダッシュボード壁面
【図１】
2015171137.tif 000003
【図２】
2015171137.tif 000004
【図３】
2015171137.tif 000005
【図４】
2015171137.tif 000006
【図５】
2015171137.tif 000007
【図６】
2015171137.tif 000008
【図７】
2015171137.tif 000009
【図８】
2015171137.tif 000010
【図９】
2015171137.tif 000011